(57)【要約】【課題】尿素水の解凍対策に要するコストを大幅に削減し得る尿素水貯蔵装置を提供する。【解決手段】ＮＯxを還元浄化するための選択還元型触媒に対し還元剤として添加すべき尿素水２の貯蔵装置に関し、尿素水２を貯蔵するタンク１内に上方から電熱ヒータ５ａ付きの送水ホース５を下方向きに挿し入れてタンク１底部まで延在せしめ、前記送水ホース５のタンク１内で尿素水２に没する領域を細長い袋状のフィルタ８により被包し、該フィルタ８を前記送水ホース５の電熱ヒータ５ａによる発熱で解凍し得るように構成する。【選択図】図１
2008115784.tif 000002
【特許請求の範囲】
【請求項１】
ＮＯxを還元浄化するための選択還元型触媒に対し還元剤として添加すべき尿素水の貯蔵装置であって、尿素水を貯蔵するタンク内に上方から電熱ヒータ付きの送水ホースを下方向きに挿し入れてタンク底部まで延在せしめ、前記送水ホースのタンク内で尿素水に没する領域を細長い袋状のフィルタにより被包し、該フィルタを前記送水ホースの電熱ヒータによる発熱で解凍し得るように構成したことを特徴とする尿素水貯蔵装置。
【請求項２】
フィルタ及び送水ホースの周囲を被包してタンクの天井部から下方向きに延び且つ長手方向複数箇所に通水孔を開口した長筒状の氷塊衝突防止ガードを備えたことを特徴とする請求項１に記載の尿素水貯蔵装置。
【請求項３】
送水ホースをタンクの壁面に近づけて配置すると共に、各種センサ類をフィルタに対し近接配置し且つ前記タンクの壁面から支えたことを特徴とする請求項１に記載の尿素水貯蔵装置。
【請求項４】
送水ホースをタンクの壁面に近づけて配置すると共に、氷塊衝突防止ガード下端の前記壁面と対峙する位置に切欠部を形成し、各種センサ類を前記切欠部を通し氷塊衝突防止ガード内に臨ませてフィルタに対し近接配置し且つ前記タンクの壁面から支えたことを特徴とする請求項２に記載の尿素水貯蔵装置。
【発明の詳細な説明】
【技術分野】
【０００１】
本発明は、ＮＯxを還元浄化するための選択還元型触媒に対し還元剤として添加すべき尿素水の貯蔵装置に関するものである。
【背景技術】
【０００２】
従来より、ディーゼルエンジンにおいては、排気ガスが流通する排気管の途中に、酸素共存下でも選択的にＮＯxを還元剤と反応させる性質を備えた選択還元型触媒を装備し、該選択還元型触媒の上流側に必要量の還元剤を添加して該還元剤を選択還元型触媒上で排気ガス中のＮＯx（窒素酸化物）と還元反応させ、これによりＮＯxの排出濃度を低減し得るようにしたものがある。
【０００３】
他方、プラント等における工業的な排煙脱硝処理の分野では、還元剤にアンモニア（ＮＨ3）を用いてＮＯxを還元浄化する手法の有効性が既に広く知られているところであるが、自動車の場合には、アンモニアそのものを搭載して走行することに関し安全確保が困難であるため、近年においては、毒性のない尿素水を還元剤として使用することが研究されている。
【０００４】
即ち、尿素水を選択還元型触媒の上流側で排気ガス中に添加すれば、約１７０℃以上の温度条件下で前記尿素水がアンモニアと炭酸ガスに分解され、選択還元型触媒上で排気ガス中のＮＯxがアンモニアにより良好に還元浄化されることになる。
【０００５】
このように尿素水を還元剤として使用する場合、尿素水を車両搭載のタンクに貯蔵しておき、該タンク内に上方から挿し入れられた送水ホースを通して尿素水を送り出すことになるが、この種の尿素水は−１３．５℃以下で凍ってしまうため、寒冷地での使用を想定した車両については、タンク内や送水経路の途中で凍りついた尿素水を解凍する対策を施す必要がある。
【０００６】
尚、この種の尿素水を貯蔵するための装置における凍結対策に関連する先行技術文献情報としては、例えば下記の特許文献１等が既に提案されている。
【特許文献１】特開２００６−１４４５６２号公報
【発明の開示】
【発明が解決しようとする課題】
【０００７】
しかしながら、図４に示す如く、タンク１内から尿素水２を汲み上げて送り出すに際しては、その汲み上げを担う電磁ポンプ３の吸込口に、尿素水２中の異物を濾し取るフィルタ４を介装する必要があるため、単に送水ホース５の管肉部分に電熱ヒータ５ａを埋設してタンク１内や送水ホース５内を加熱し得るようにするだけでは足らず、前記フィルタ４を収容ケース６ごと電熱ヒータ付きのテープ７で巻いて加熱する等といった解凍対策を別途講じなければならず、斯かる解凍対策に要するコストが嵩んで高くついてしまうという問題があった。
【０００８】
尚、尿素水２の汲み上げに用いる電磁ポンプ３は、通電時のコイルの発熱で自身の内部の解凍を図ることができるため、電磁ポンプ３を用いた場合には、該電磁ポンプ３に加熱手段を特に備えなくて済むが、電動モータポンプを用いたような場合には、その解凍対策として加熱手段を備えなければならない。
【０００９】
本発明は上述の実情に鑑みてなしたもので、尿素水の解凍対策に要するコストを大幅に削減し得る尿素水貯蔵装置を提供することを目的としている。
【課題を解決するための手段】
【００１０】
本発明は、ＮＯxを還元浄化するための選択還元型触媒に対し還元剤として添加すべき尿素水の貯蔵装置であって、尿素水を貯蔵するタンク内に上方から電熱ヒータ付きの送水ホースを下方向きに挿し入れてタンク底部まで延在せしめ、前記送水ホースのタンク内で尿素水に没する領域を細長い袋状のフィルタにより被包し、該フィルタを前記送水ホースの電熱ヒータによる発熱で解凍し得るように構成したことを特徴とするものである。
【００１１】
而して、このようにすれば、寒冷地での使用によりタンク内の尿素水が凍りついてしまったとしても、送水ホースの電熱ヒータを発熱させた際に、タンク内における送水ホース周囲の氷塊と一緒にフィルタも解凍されることになり、この種のフィルタの解凍対策を別途講じる必要がなくなるので、該フィルタに専用の加熱手段を備えなくて済む分だけコストの削減を図ることが可能となる。
【００１２】
また、本発明においては、フィルタ及び送水ホースの周囲を被包してタンクの天井部から下方向きに延び且つ長手方向複数箇所に通水孔を開口した長筒状の氷塊衝突防止ガードを備えることが好ましい。
【００１３】
このようにすれば、フィルタ及び送水ホースの周囲が氷塊衝突防止ガードにより被包されて保護されるので、尿素水の氷塊のフィルタ及び送水ホースへの直撃が回避され、しかも、氷塊衝突防止ガード内が電熱ヒータにより効率良く加熱されて直ちに解凍するので、前記氷塊衝突防止ガードからフィルタ及び送水ホースへの衝突力のダイレクトな伝達も回避される。
【００１４】
更に、本発明においては、送水ホースをタンクの壁面に近づけて配置すると共に、各種センサ類をフィルタに対し近接配置し且つ前記タンクの壁面から支えるようにすると良く、このようにすれば、各種センサ類の周囲も送水ホースの電熱ヒータによる加熱で一緒に解凍されるので、本来ならば各種センサ類ごとに講じなければならない解凍対策が不要となり、各種センサ類に専用の加熱手段を備えなくて済む分だけコストの削減を図ることが可能となる。
【００１５】
また、フィルタ及び送水ホースの周囲が氷塊衝突防止ガードにより被包されている場合には、送水ホースをタンクの壁面に近づけて配置すると共に、氷塊衝突防止ガード下端の前記壁面と対峙する位置に切欠部を形成し、各種センサ類を前記切欠部を通し氷塊衝突防止ガード内に臨ませてフィルタに対し近接配置し且つ前記タンクの壁面から支えるようにすると良い。
【００１６】
このようにすれば、各種センサ類がタンクの壁面と該壁面に近い氷塊衝突防止ガードとの間の比較的狭い空間に配置され、しかも、切欠部を通してフィルタと近接するように氷塊衝突防止ガード内に入り込んだ状態で配置されることになるため、各種センサ類を尿素水の氷塊による衝突から保護することも可能となる。
【発明の効果】
【００１７】
上記した本発明の尿素水貯蔵装置によれば、下記の如き種々の優れた効果を奏し得る。
【００１８】
（Ｉ）本発明の請求項１に記載の発明によれば、送水ホースの電熱ヒータの発熱でタンク内における送水ホース周囲の氷塊と一緒にフィルタも解凍することができ、該フィルタを解凍するための専用の加熱手段を備えなくても済むので、尿素水の解凍対策に要するコストを大幅に削減することができる。
【００１９】
（ＩＩ）本発明の請求項２に記載の発明によれば、尿素水の氷塊のフィルタ及び送水ホースへの直撃を氷塊衝突防止ガードにより回避することができ、氷塊衝突防止ガードからフィルタ及び送水ホースへの衝突力のダイレクトな伝達も回避することができるので、これらフィルタ及び送水ホースを尿素水の解凍途中の氷塊による衝突から確実に保護することができる。
【００２０】
（ＩＩＩ）本発明の請求項３に記載の発明によれば、各種センサ類の周囲も送水ホースの電熱ヒータによる加熱で一緒に解凍することができるので、各種センサ類を解凍するための専用の加熱手段を備えなくて済むので、尿素水の解凍対策に要するコストの更なる削減を図ることができる。
【００２１】
（ＩＶ）本発明の請求項４に記載の発明によれば、各種センサ類をタンクの壁面と該壁面に近い氷塊衝突防止ガードとの間の比較的狭い空間に、該氷塊衝突防止ガード内に入り込ませた状態で配置することができるので、各種センサ類を尿素水の氷塊による衝突から保護することができる。
【発明を実施するための最良の形態】
【００２２】
以下本発明の実施の形態を図面を参照しつつ説明する。
【００２３】
図１〜図３は本発明を実施する形態の一例を示すもので、図４と同一の符号を付した部分は同一物を表わしている。
【００２４】
本形態例においては、尿素水２を貯蔵しているタンク１の上部に電磁ポンプ３が装備されており、該電磁ポンプ３の吸込口には、電熱ヒータ５ａを管肉部分に埋設した送水ホース５の上端部がフィルタを介さずに直接的に接続され、その下端部がタンク１の底部まで延在するようになっている。
【００２５】
この際、前記送水ホース５は、タンク１の壁面１ａに近づけて配置されており、そのタンク１内で尿素水２に没する領域が、尿素水２中の異物を濾し取るための細長い袋状のフィルタ８により被包され、該フィルタ８が前記送水ホース５の電熱ヒータ５ａによる発熱で解凍されるようになっている。
【００２６】
更に、ここに図示している例では、フィルタ８及び送水ホース５の周囲を被包してタンク１の天井部から下方向きに延び且つ長手方向複数箇所に通水孔９ａを開口した長筒状の氷塊衝突防止ガード９が備えられている。
【００２７】
ここで、前記氷塊衝突防止ガード９の下端に近いタンク１の壁面１ａには、尿素水２の温度や水質等を検出する各種センサ類１０がサポート部材１１を介して支えられており、この各種センサ類１０は、前記氷塊衝突防止ガード９下端の切欠部９ｂを通し該氷塊衝突防止ガード９内に臨み、フィルタ８に対して近接配置されるようになっている。
【００２８】
尚、前記各種センサ類１０を支えるサポート部材１１は、タンク１の壁面１ａに設けた開口部１ｂをタンク１外から塞いで内側へ凸型を成すように形成されており、シールガスケット１２を介し袋ナット１３とボルト１４とによりタンク１の壁面１ａに締結されている。
【００２９】
而して、このように尿素水貯蔵装置を構成すれば、寒冷地での使用によりタンク１内の尿素水２が凍りついてしまったとしても、送水ホース５の電熱ヒータ５ａを発熱させた際に、タンク１内における送水ホース５周囲の氷塊と一緒にフィルタ８も解凍されることになり、この種のフィルタ８の解凍対策を別途講じる必要がなくなるので、該フィルタ８に専用の加熱手段を備えなくて済む分だけコストの削減を図ることが可能となる。
【００３０】
この際、本形態例においては、各種センサ類１０の周囲も送水ホース５の電熱ヒータ５ａによる加熱で一緒に解凍されるので、本来ならば各種センサ類１０ごとに講じなければならない解凍対策が不要となり、各種センサ類１０に専用の加熱手段を備えなくて済む分が更なるコストの削減に寄与することになる。
【００３１】
また、フィルタ８及び送水ホース５の周囲が氷塊衝突防止ガード９により被包されて保護されるので、尿素水２の氷塊のフィルタ８及び送水ホース５への直撃が回避され、しかも、氷塊衝突防止ガード９内が電熱ヒータ５ａにより効率良く加熱されて直ちに解凍するので、前記氷塊衝突防止ガード９からフィルタ８及び送水ホース５への衝突力のダイレクトな伝達も回避される。
【００３２】
しかも、各種センサ類１０がタンク１の壁面１ａと該壁面１ａに近い氷塊衝突防止ガード９との間の比較的狭い空間に配置され、しかも、切欠部９ｂを通してフィルタ８と近接するように氷塊衝突防止ガード９内に入り込んだ状態で配置されることになるため、各種センサ類１０を尿素水２の氷塊による衝突から保護することも可能となる。
【００３３】
従って、上記形態例によれば、送水ホース５の電熱ヒータ５ａの発熱でタンク１内における送水ホース５周囲の氷塊と一緒にフィルタ８や各種センサ類１０も解凍することができ、これらフィルタ８や各種センサ類１０を解凍するための専用の加熱手段を備えなくても済むので、尿素水２の解凍対策に要するコストを大幅に削減することができる。
【００３４】
また、尿素水２の氷塊のフィルタ８及び送水ホース５への直撃を氷塊衝突防止ガード９により回避することができ、氷塊衝突防止ガード９からフィルタ８及び送水ホース５への衝突力のダイレクトな伝達も回避することができるので、これらフィルタ８及び送水ホース５を尿素水２の解凍途中の氷塊による衝突から確実に保護することができ、更には、各種センサ類１０をタンク１の壁面１ａと該壁面１ａに近い氷塊衝突防止ガード９との間の比較的狭い空間に、該氷塊衝突防止ガード９内に入り込ませた状態で配置することができるので、各種センサ類１０を尿素水２の氷塊による衝突から保護することもできる。
【００３５】
尚、本発明の尿素水貯蔵装置は、上述の形態例にのみ限定されるものではなく、本発明の要旨を逸脱しない範囲内において種々変更を加え得ることは勿論である。
【図面の簡単な説明】
【００３６】
【図１】本発明を実施する形態の一例を示す断面図である。
【図２】図１の要部の詳細を示す部分拡大図である。
【図３】図２のＩＩＩ−ＩＩＩ矢視の断面図である。
【図４】従来例を示す部分拡大図である。
【符号の説明】
【００３７】
１  タンク
１ａ  壁面
１ｂ  開口部
２  尿素水
５  送水ホース
５ａ  電熱ヒータ
８  フィルタ
９  氷塊衝突防止ガード
９ａ  通水孔
９ｂ  切欠部
１０  各種センサ類
【図１】
2008115784.tif 000003
【図２】
2008115784.tif 000004
【図３】
2008115784.tif 000005
【図４】
2008115784.tif 000006